(57)【特許請求の範囲】
【請求項１】
金種別に紙幣を収納する金種別収納庫と、紙幣を鑑別する鑑別手段と、鑑別結果が不良の紙幣や該当する金種別収納庫が存在しない紙幣を収納するリジェクト紙幣収納庫とを備え、不良と判断された紙幣や該当する金種別収納庫が存在しない紙幣をリジェクト紙幣収納庫に収納していく現金自動入出金装置において、
時刻を計って日付データ又は曜日データを生成する年時計と、係員による現金の詰め替え作業日データを記憶した現金詰め替え作業スケジュール記憶手段と、この現金詰め替え作業日データと日付又は曜日の関係に応じた紙幣の搬送先を設定した所定条件を記憶した記憶手段を備え、
リジェクト紙幣収納庫の満杯時には、その時の日付データ又は曜日データを年時計から取得し、その日付データ又は曜日データと現金詰め替え作業日データとの関係に基づき所定条件と照合し、照合結果により該当する金種別収納庫が存在しない紙幣の搬送先としての金種別収納庫を決定するようにしたことを特徴とする現金自動入出金装置。
【請求項２】
金種別に紙幣を収納する金種別収納庫と、紙幣を鑑別する鑑別手段と、鑑別結果が不良の紙幣や該当する金種別収納庫が存在しない紙幣を収納するリジェクト紙幣収納庫とを備え、不良と判断された紙幣や該当する金種別収納庫が存在しない紙幣をリジェクト紙幣収納庫に収納していく現金自動入出金装置において、
時刻を計って日時データを生成する年時計と、係員による現金の詰め替え作業を行う詰め替え作業可能日データ又は不可能日データを記憶した運用サービス日記憶手段と、係員による現金の詰め替え作業を行う詰め替え作業可能時刻又は不可能時刻データを記憶した運用サービス時刻記憶手段を備え、
リジェクト紙幣収納庫の満杯時には、その時の日時データを年時計から取得し、その日時データと詰め替え作業可能日データ又は不可能日データと詰め替え作業可能時刻又は不可能時刻データとを照合し、照合結果により該当する金種別収納庫が存在しない紙幣の搬送先としての金種別収納庫を決定するようにしたことを特徴とする現金自動入出金装置。
【請求項３】
金種別に紙幣を収納する金種別収納庫と、紙幣を鑑別する鑑別手段と、鑑別結果が不良の紙幣や該当する金種別収納庫が存在しない紙幣を収納するリジェクト紙幣収納庫とを備え、不良と判断された紙幣や該当する金種別収納庫が存在しない紙幣をリジェクト紙幣収納庫に収納していく現金自動入出金装置において、
リジェクト紙幣収納庫の満杯検知手段が満杯を検知した時に、その状態を上位装置に送信し、上位装置からの指示により搬送先決定手段は不良と判断された紙幣や該当する金種別収納庫が存在しない紙幣の搬送先としての金種別収納庫を決定することを特徴とする現金自動入出金装置。
【請求項４】
請求項１、請求項２または請求項３において、
損券の搬送先について金種別収納庫の収納枚数とリジェクト収納庫の収納枚数を管理し、所定量以上になった時に時刻・日によって損券判定レベルを緩和するようにしたことを特徴とする現金自動入出金装置。
【請求項５】
請求項１において、
所定稼働期間内の出金リジェクト率、又は、及び、損券判定率を算出し、これらのリジェクト収納庫へ収納されるべき枚数の発生を予測し、現金詰め替え作業スケジュール記憶手段を参照し、次回詰め替え以前にリジェクト紙幣収納庫が満杯になることが予測される場合には、損券判定レベルを緩和するように設定する損券レベル決定手段を有することを特徴とする現金自動入出金装置。
【請求項６】
請求項１において、
所定稼働期間内の出金リジェクト率、又は、及び、損券判定率を算出し、これらのリジェクト収納庫へ収納されるべき枚数の発生を予測し、現金詰め替え作業スケジュール記憶手段を参照し、次回詰め替え以前にリジェクト紙幣収納庫が満杯になることが予測される場合には、損券判定結果を無視乃至は損券判定を行わずに紙幣の搬送先を制御する搬送制御手段を有することを特徴とする現金自動入出金装置。
【請求項７】
請求項３において、
所定稼働期間内の出金リジェクト率、又は、及び、損券判定率を算出するリジェクト率算出手段と、リジェクト率算出手段の演算の結果から、これらのリジェクト収納庫へ搬送されるべき枚数の発生を予測するリジェクト収納庫フル発生予測手段を備え、リジェクト収納庫フル発生予測手段の出力と現金詰め替え作業スケジュール記憶手段を参照のうえ、次回詰め替え以前にリジェクト紙幣収納庫が満杯になることが予測される場合には、リジェクト収納庫満杯状態発生予告通知を上位装置に送信し、現金詰め替えスケジュール計画の変更を促すようにしたことを特徴とする現金自動入出金装置。
【発明の詳細な説明】
【０００１】
【発明の属する技術分野】
本発明は、現金自動入出金装置に関し、さらに詳しくは、銀行の無人店舗や小売業店舗等に設置され、紙幣の入出金処理を顧客操作により自動的に行う現金自動入出金装置に関する。
【０００２】
【従来の技術】
図８に示すように、従来の現金自動入出金装置の紙幣入出金ユニット１は、顧客より入金された紙幣や顧客への出金用紙幣を収納する場所として複数金種の出金用紙幣を収納する複数の金種別収納庫６，７と、出金時に鑑別手段４により出金不適と鑑別されたり、或いは、金種別収納庫６，７からの繰り出し状態が悪く、例えば、２枚取り出しなどの紙幣のハンドリングの異常が検知された紙幣などを収納するリジェクト収納庫８を有している。この他に、出金用紙幣が不足した場合に、金種別収納庫６，７に紙幣を補充するための補充カセットや、逆に金種別収納庫６，７で満杯になった紙幣を回収する回収カセット、或いは、両方の機能を兼ね備えた補充回収カセットが紙幣入出金ユニット１本体に対して着脱自在に装着できるようなものである。
【０００３】
【発明が解決しようとする課題】
上記従来のような紙幣入出金ユニット１を用いた現金自動入出金装置では、既に、流通量の少ない５千円券を出金可能にも係わらずリジェクト収納庫８に収納させて運用させているため、そのリジェクト収納庫８に二千円券等の新紙幣を出金可能にも係わらず収納させていくようにすると、リジェクト収納庫８が満杯になりやすくなってしまう。このように、リジェクト収納庫８が満杯になってしまうと、以降発生する５千円券や二千円券等の新紙幣や本来の収納すべきリジェクト紙幣を収納することができなくなってしまうため、現金自動入出金装置自体の紙幣の取り扱いを禁止しなければならなくなってしまう問題がある。
【０００４】
例えば、出金時には、出金リジェクト収納庫８が満杯になると、顧客に払い出すには不適と判断されたり、払い出し枚数の計数が不確実になったなどの紙幣を収納できなくなるため、出金取引ができなくなる。また、入金取引では、入金リジェクト収納庫が満杯になるとスペースや取り扱い頻度の少ない専用収納庫を設けた場合の装置コストの効率の低さなどの問題から入金で取り扱い得るすべての金種に対応させて金種別収納庫を設けていないのが、一般的であり、出金リジェクト収納庫と入金リジェクト収納庫は、一つの収納庫（リジェクト収納庫８）で兼用させており、そのためこれらの取り扱い頻度の少ない入金紙幣や、出金取引で顧客に払い出すのには適さない傷んだ紙幣の収納先がなくなるため入金取引も中止させなければならなくなってしまう。
【０００５】
さらに、最近では、金融機関は人件費の効率化と顧客サービスに対する店舗数増大のため、現金自動入出金装置のみ設置された無人店舗が多数開設され、或いは、小売業者の店舗内等への設置が増えているが、従来のように、金融機関の有人店舗内設置と異なり現金の詰め替え作業が必要時に即時対応が困難なため装置休止による顧客へのサービス低下、或いは、サービスをある程度まで向上させようとする場合の運用コスト増大という問題があった。
【０００６】
本発明は、現金自動入出金装置のリジェクト紙幣収納庫が満杯になることから生じる装置休止を防ぐことで顧客取引連続運用時間の延長を可能とするとともにリジェクト紙幣収納庫のリジェクト券収納枚数を最適管理した現金自動入出金装置を提案するものである。
【０００７】
【課題を解決するための手段】
本発明の請求項１に記載の現金自動入出金装置は、金種別に紙幣を収納する金種別収納庫と、紙幣を鑑別する鑑別手段と、鑑別結果が不良の紙幣や該当する金種別収納庫が存在しない紙幣を収納するリジェクト紙幣収納庫とを備え、不良と判断された紙幣や該当する金種別収納庫が存在しない紙幣をリジェクト紙幣収納庫に収納していく現金自動入出金装置において、時刻を計って日付データ又は曜日データを生成する年時計と、係員による現金の詰め替え作業日データを記憶した現金詰め替え作業スケジュール記憶手段と、この現金詰め替え作業日データと日付又は曜日の関係に応じた紙幣の搬送先を設定した所定条件を記憶した記憶手段を備え、リジェクト紙幣収納庫の満杯時には、その時の日付データ又は曜日データを年時計から取得し、その日付データ又は曜日データと現金詰め替え作業日データとの関係に基づき所定条件と照合し、照合結果により該当する金種別収納庫が存在しない紙幣の搬送先としての金種別収納庫を決定するようにしたことを特徴とする。
【００１２】
本発明の請求項２に記載の現金自動入出金装置は、金種別に紙幣を収納する金種別収納庫と、紙幣を鑑別する鑑別手段と、鑑別結果が不良の紙幣や該当する金種別収納庫が存在しない紙幣を収納するリジェクト紙幣収納庫とを備え、不良と判断された紙幣や該当する金種別収納庫が存在しない紙幣をリジェクト紙幣収納庫に収納していく現金自動入出金装置において、時刻を計って日時データを生成する年時計と、係員による現金の詰め替え作業を行う詰め替え作業可能日データ又は不可能日データを記憶した運用サービス日記憶手段と、係員による現金の詰め替え作業を行う詰め替え作業可能時刻又は不可能時刻データを記憶した運用サービス時刻記憶手段を備え、リジェクト紙幣収納庫の満杯時には、その時の日時データを年時計から取得し、その日時データと詰め替え作業可能日データ又は不可能日データと詰め替え作業可能時刻又は不可能時刻データとを照合し、照合結果により該当する金種別収納庫が存在しない紙幣の搬送先としての金種別収納庫を決定するようにしたことを特徴とする。
【００１３】
本発明の請求項３に記載の現金自動入出金装置は、金種別に紙幣を収納する金種別収納庫と、紙幣を鑑別する鑑別手段と、鑑別結果が不良の紙幣や該当する金種別収納庫が存在しない紙幣を収納するリジェクト紙幣収納庫とを備え、不良と判断された紙幣や該当する金種別収納庫が存在しない紙幣をリジェクト紙幣収納庫に収納していく現金自動入出金装置において、リジェクト紙幣収納庫の満杯検知手段が満杯を検知した時に、その状態を上位装置に送信し、上位装置からの指示により搬送先決定手段は不良と判断された紙幣や該当する金種別収納庫が存在しない紙幣の搬送先としての金種別収納庫を決定することを特徴とする。
【００１４】
本発明の請求項４に記載の現金自動入出金装置は、請求項１、請求項２または請求項３において、損券の搬送先について金種別収納庫の収納枚数とリジェクト収納庫の収納枚数を管理し、所定量以上になった時に時刻・日によって損券判定レベルを緩和するようにしたことを特徴とする。
本発明の請求項５に記載の現金自動入出金装置は、請求項１において、所定稼働期間内の出金リジェクト率、又は、及び、損券判定率を算出し、これらのリジェクト収納庫へ収納されるべき枚数の発生を予測し、現金詰め替え作業スケジュール記憶手段を参照し、次回詰め替え以前にリジェクト紙幣収納庫が満杯になることが予測される場合には、損券判定レベルを緩和するように設定する損券レベル決定手段を有することを特徴とする。
【００１５】
本発明の請求項６に記載の現金自動入出金装置は、請求項１において、所定稼働期間内の出金リジェクト率、又は、及び、損券判定率を算出し、これらのリジェクト収納庫へ収納されるべき枚数の発生を予測し、現金詰め替え作業スケジュール記憶手段を参照し、次回詰め替え以前にリジェクト紙幣収納庫が満杯になることが予測される場合には、損券判定結果を無視乃至は損券判定を行わずに紙幣の搬送先を制御する搬送制御手段を有することを特徴とする。
【００１６】
本発明の請求項７に記載の現金自動入出金装置は、請求項３において、所定稼働期間内の出金リジェクト率、又は、及び、損券判定率を算出するリジェクト率算出手段と、リジェクト率算出手段の演算の結果から、これらのリジェクト収納庫へ搬送されるべき枚数の発生を予測するリジェクト収納庫フル発生予測手段を備え、リジェクト収納庫フル発生予測手段の出力と現金詰め替え作業スケジュール記憶手段を参照のうえ、次回詰め替え以前にリジェクト紙幣収納庫が満杯になることが予測される場合には、リジェクト収納庫満杯状態発生予告通知を上位装置に送信し、現金詰め替えスケジュール計画の変更を促すようにしたことを特徴とする。
【００１７】
【発明の実施の形態】
以下、図面を参照して、本発明の実施の形態を説明する。なお、これによりこの発明が限定されるものではない。
第１の実施の形態
図１は、本発明に係わる紙幣入出金ユニット１の構成図である。図において、２は、入金紙幣又は出金紙幣を顧客が出し入れするための入金及び出金接客手段である。３は顧客が入金した紙幣或いは顧客へ出金した紙幣を一時的に一括管理するための接客一時集積手段である。４は入金及び出金時に紙幣の真偽を鑑別する鑑別手段である。５は入金時の真券を一時的に保管する一時集積手段である。６及び７は入金時には鑑別手段４により真と鑑別された紙幣を収納し、出金時には顧客が指定した金種枚数の紙幣を払い出す手段をもった紙幣入出金ユニット１から着脱可能な金種別収納庫である。８は入金時の紙幣の鑑別結果が、該当する金種別収納庫６，７が存在しない金種の真券であった場合にその紙幣を収納する入金リジェクト紙幣収納部と、出金時に鑑別結果やその他の要因で出金できないと判断された紙幣を収納する出金リジェクト紙幣収納部を兼ねたリジェクト紙幣収納庫である。また、両リジェクト紙幣収納部としてのリジェクト紙幣収納庫８には、満杯状態を検出する図示しない満杯検出手段を有している。そして、その満杯検出手段の検出結果に基づいて搬送先を変更する図示しない搬送先決定手段も備わっている。９は入金時に鑑別手段４によって、鑑別結果が真とは特定できない紙幣を一時的に保管する入金返却紙幣一時集積手段である。なお、１０〜１４は、各構成同士に紙幣を搬送するための搬送路である。
【００１８】
次に、入金取引と出金取引に分けて、動作を説明する。なお、以下の動作は、図示しないＣＰＵが、図示しない記憶媒体に記憶させてあるプログラムを実行することにより実行するものとするが、その詳細は省略する。
入金取引では、図２に示すように、入金及び出金接客手段２より投入された紙幣は、まず、接客一時集積手段３に入り、接客一時集積手段３と鑑別手段４をつなぐ搬送路１０を通り、鑑別手段４を経たあと鑑別手段４と一時集積手段５をつなぐ搬送路１１を通って、一時集積手段５に収納される。紙幣が真券であるならば、そのまま一時集積手段５に収納されるが、真券と鑑別できなかったり、２枚以上重なって（重走）搬送されたなどの問題が鑑別されると、紙幣を一旦入金返却紙幣一時集積手段９に収納させ、接客一時集積手段３の紙幣が全て分離されると、入金返却紙幣一時集積手段９の紙幣を入金接客手段２に逆走させ、再び顧客により紙幣を投入するよう促す。
【００１９】
また、真券と鑑別された紙幣は、顧客による取引金額確認入力後、再び一時集積手段５と鑑別手段４をつなぐ搬送路１０を通り、一時集積手段５の紙幣を再度鑑別し、鑑別された紙幣が属する金種別収納庫が存在するのであれば、鑑別手段４と各々の金種別収納庫６，７をつなぐ搬送路１２を通り、金種別収納庫６，７に紙幣は収納される。
【００２０】
ここで、鑑別手段４によって、該当する金種別収納庫が存在しないと鑑別された紙幣、及び、搬送中に紙幣の摩耗等の理由により鑑別結果が現金自動入出金装置の取り引きに適さないという結果が得られた紙幣は、鑑別手段４とリジェクト紙幣収納手段８とをつなぐ搬送路１３を通って、リジェクト紙幣収納庫８に収納される。その時、リジェクト紙幣収納庫８内にある満杯検知手段が所定の検出結果を検知した時には、その検出結果に基づいてリジェクト紙幣収納庫８へ搬送されるべき紙幣の搬送先を、複数の金種別収納庫６，７の内に予め定められた金種別収納庫に切り替える搬送先決定手段を用いることで、リジェクト紙幣収納庫８が満杯になり、現金自動入出金装置自体の取引休止が発生しないようにする。搬送先決定手段が働き予め定められた金種別収納庫に紙幣が送られると、送られる前に入っていた紙幣の金種の取り引きは行わず、図４から図５に取引画面を切り替えることで取り引きを継続される。
【００２１】
例えば、金種別収納庫６に千円券、金種別収納庫７に万円券を収納する設定とした場合、リジェクト紙幣収納庫８に収納する該当する金種別収納庫が存在しないと鑑別された紙幣は、２千円券等の新紙幣と５千円券である。そして、リジェクト紙幣の搬送先を金種別収納庫６とした場合に、リジェクト紙幣収納庫８へ搬送されるべき紙幣である２千円券等の新紙幣と５千円券とリジェクト紙幣を金種別収納庫６に収納させて、この金種別収納庫６からの出金を不可とし、出金できる金種を金種別収納庫７に収納される万円券のみとする制御を行う。
【００２２】
出金取引では、図３に示すように、まず、顧客による取引金額入力後、金種別収納庫６，７から該当する紙幣を金種別収納庫６，７と鑑別手段４をつなぐ搬送路１２で鑑別手段４へ送り、出金に適した紙幣であるならば、鑑別手段４と接客一時集積手段３とをつなぐ搬送路１０を使って、接客一時集積手段３に収納させ、入金及び出金接客手段２から顧客に紙幣を支払う。鑑別手段４により鑑別結果やその他の要因で出金できないと判断された紙幣は、鑑別手段４とリジェクト紙幣収納庫８とをつなぐ搬送路１０、搬送路１４を使って、リジェクト紙幣収納庫８に収納させる。その時、リジェクト紙幣収納庫８内にある満杯検知手段が所定の検出結果を検知した時、その検出結果に基づいてリジェクト紙幣収納庫８へ搬送されるべき紙幣の搬送先を、複数の金種別収納庫６，７の内の予め定められた金種別収納庫６，７に切り替える搬送先決定手段を用いることで、リジェクト紙幣収納庫８が満杯になり現金自動入出金装置の取引休止が発生しないようにする。そして、搬送先決定手段が働き、予め定められた金種別収納庫６，７に紙幣が送られると、送られる前に入っていた紙幣の金種の取り引きは行わず、図４から図５に取引画面を切り替えることで、取り引きを継続させる。
【００２３】
例えば、金種別収納庫６に千円券、金種別収納庫７に万円券を収納する設定とした場合、リジェクト紙幣収納庫８に収納する該当する金種別収納庫が存在しないと鑑別された紙幣は、２千円券等の新紙幣と５千円券である。そして、リジェクト紙幣の搬送先を金種別収納庫６とした場合に、リジェクト紙幣収納庫８へ搬送されるべき紙幣である２千円券等の新紙幣と５千円券とリジェクト紙幣を金種別収納庫６に収納させて、この金種別収納庫６からの出金を不可とし、出金できる金種を金種別収納庫７に収納される万円券のみとする制御を行う。
【００２４】
上記第１の実施の形態によると、リジェクト紙幣収納庫内に満杯検出手段を取り付け、その満杯検出手段の検出結果に基づいて搬送先をリジェクト紙幣収納庫から設定した金種別収納庫に変更させることで、現金自動入出金装置の取引時間を延長することができる。
第２の実施の形態
この第２の実施の形態では、図１〜図３を用いて説明した構成及び基本動作は上記第１の実施の形態と同一であるため、説明を省略し、相違する動作を主に説明する。
【００２５】
入金時および出金時ともに、金種別収納庫６に千円券、金種別収納庫７に万円券を収納する設定とした場合、リジェクト紙幣収納庫８に収納する該当する金種別収納庫が存在しないと鑑別された紙幣は、２千円券等の新紙幣と５千円券やリジェクト紙幣を同一のリジェクト紙幣収納庫８に収納させていき、このリジェクト紙幣収納庫８の満杯検出手段が所定の検出結果を得ると、搬送先を変更する搬送先決定手段によって予め設定されている金種別収納庫６，７へリジェクト紙幣を搬送し収納する。
【００２６】
上記第２の実施の形態によると、入金時および出金時ともに同一のリジェクト紙幣収納庫８に収納させるため部品点数が少なくて済み、また、リジェクト紙幣を搬送するための搬送路も同一のものとなるので、現金自動入出金装置の小型化が可能となる。
第３の実施の形態
この第３の実施の形態では、図１〜図３を用いて説明した構成及び基本動作は上記第１の実施の形態と同一であるため、説明を省略し、相違する動作を主に説明する。
【００２７】
この第２の実施の形態では、金種別収納庫６，７間で紙幣が往来できる搬送路が備わっているため、リジェクト紙幣収納庫内の満杯検出手段が、所定の検出結果を得た時、予め定められた金種別収納庫６，７にリジェクト紙幣が搬送される前に、その金種別収納庫６，７の一方から他方の金種別収納庫６，７へ紙幣を１枚搬送して収納し、その紙幣の上からリジェクト紙幣を重ねていくように動作制御する。
【００２８】
上記第３の実施の形態によると、リジェクト紙幣が搬送される予め定められた金種別収納庫にリジェクト紙幣が搬送される前に、別の金種別収納庫等から紙幣を１枚送り込み、その上からリジェクト紙幣を積んでいくことで、どこまでが金種別収納庫に金種設定された紙幣でどこからがリジェクト紙幣であるかを確実に判断することができるようになり、リジェクト紙幣を係員が装置から取り除く時の時間が短縮することが可能になる。
【００２９】
第４の実施の形態
この第４の実施の形態では、図１〜図３を用いて説明した構成及び基本動作は上記第１の実施の形態と同一であるため、説明を省略し、相違する動作を主に説明する。
この第４の実施の形態では、リジェクト紙幣を収納させる予め定められた金種別収納庫６，７に収納されている紙幣量を管理する図示しない収納量管理手段と、リジェクト紙幣が金種別収納庫６，７に加わる場合、金種別収納庫が満杯とならないかどうかを前もって確認する図示しないプレフル検出手段とを備える。また、プレフル検出手段によって金種別収納庫６，７の紙幣量が満杯近いことが確認された時に、その金種別収納庫６，７に該当する金種の取り引きを中止させる図示しない取引制限管理手段も備わっている。なお、各手段は図示しないＣＰＵが図示しない記憶部に記憶されたプログラムを実行することにより機能する。
【００３０】
この第４の実施の形態では、リジェクト紙幣収納庫の満杯検出手段が所定の満杯検出情報を得たときに、リジェクト紙幣を収納させる金種別収納庫６，７の紙幣収納量を収納量管理手段によって検知し、プレフル検出手段によって該金種別収納庫６，７の紙幣容量が満杯近いという情報を得たときには、その金種別収納庫６，７に該当する金種の入金取引を取引制限手段によって中止させ、そこへリジェクト紙幣を搬送し収納する。
【００３１】
上記第４の実施の形態によると、金種別収納庫内に収納量管理手段を有していることで逐一紙幣枚数が確認でき、すべての金種別収納庫に収納量管理手段を備えて、リジェクト紙幣を収納できる環境が整っていると、収納量を比較することにより一番適した金種別収納庫にリジェクト紙幣を収納することができるようになる。また、金種別収納庫にプレフル検出手段を備えていることにより、前もって金種別収納庫内の状態が把握でき、金種別収納庫が満杯に近い状態の時は、その紙幣の取り引きを取引制限管理手段によって中止し、余った空間にリジェクト紙幣を収納することで取引時間を延長させることができるようになる。
【００３２】
第５の実施の形態
この第５の実施の形態では、図１〜図３を用いて説明した構成及び基本動作は上記第１の実施の形態と同一であるため、説明を省略し、相違する動作を主に説明する。
この第５の実施の形態では、搬送路が往復双方向に搬送できる機構を持ち、上記第４の実施の形態の動作において、出金を行う時、鑑別手段４によって鑑別結果やその他の要因で出金できないと判断され、かつ、リジェクト紙幣をリジェクト紙幣収納庫８から予め定められた金種別収納庫６，７に搬送先を切り替える搬送先決定手段が、この出金できない紙幣の行先を所定の金種別収納庫６，７と指示した場合、金種別収納庫６，７からの紙幣の繰り出しを停止し、金種別収納庫６，７と鑑別手段４とをつなぐ搬送路１１，１２も停止し、その搬送路１１，１２を逆方向に駆動させ、鑑別結果やその他の要因で出金できないと判断された紙幣を前記搬送先決定手段が指示する金種別収納庫６，７に収納するように動作制御する。
【００３３】
上記第５の実施の形態によると、搬送路が往復両方向に駆動することにより、一つの搬送路で入金及び出金の取り引きが両方でき、小型化された現金自動入出金装置が可能である。また、リジェクト紙幣の収納先は搬送先決定手段が指示する金種別収納庫であることにより、搬送先を逐一替えることで、現金自動入出金装置の長時間運用が可能となる。
【００３４】
第６の実施の形態
この第６の実施の形態では、図１〜図３を用いて説明した構成及び基本動作は上記第１の実施の形態と同一であるため、説明を省略し、相違する動作を主に説明する。
この第６の実施の形態では、現金自動入出金装置を制御する図示しない制御部に、図示しない年時計と係員による現金の詰め替え作業スケジュールを記憶する作業スケジュール記憶手段が備わっている。
【００３５】
そして、この第６の実施の形態では、リジェクト紙幣収納庫８の満杯検出手段が満杯と検知した時、リジェクト紙幣の搬送先決定手段は、前記制御部に備わっている前記年時計から読み取った日付データと、前記作業スケジュール記憶手段から読み取った係員が詰め替え作業を行う作業日データとを照合することによって予め定めた所定の条件と照合し、照合結果により搬送先を決定する。
【００３６】
以下の表１に、現金詰め替え作業スケジュール記憶手段の内容の例を示す。
【００３７】
【表１】
0004505956.tif 000002
【００３８】
上記第６の実施の形態によると、現金自動入出金装置の制御部に年時計と、係員の現金の詰め替え作業スケジュール記憶手段を備え、お互いのデータを照合しリジェクト紙幣の搬送先を決定することで期日に応じた搬送先指定可能とし、現金自動入出金装置が取引休止になることを回避することができるようになる。
第７の実施の形態
この第７の実施の形態では、図１〜図３を用いて説明した構成及び基本動作は上記第１の実施の形態と同一であるため、説明を省略し、相違する動作を主に説明する。
【００３９】
この第７の実施の形態の現金自動入出金装置には、図示しない制御部に、図示しない年時計と係員の現金の詰め替え作業可能時刻及び不可能時刻データを記憶する図示しない運用サービス時間帯記憶手段を備えてある。
そして、この第７の実施の形態では、リジェクト紙幣収納庫８の満杯検出手段が満杯検知した時、現金自動入出金装置内の前記制御部の前記年時計から読み取った時刻データと前記運用サービス時間帯記憶手段か読み取ったデータを照合し、その照合結果から搬送先を決定する動作を行う。
【００４０】
上記第７の実施の形態によると、一日の時間帯で係員の現金の詰め替え可能時間及び不可能時刻を設定し、リジェクト紙幣収納庫８が満杯になった発生時刻によって、リジェクト紙幣の適切な搬送先を決定することで時間毎に応じた搬送先指定可能とし、次回係員の現金詰め替え日まで現金自動入出金装置が取引休止にならず連続運用することができるようになる。
【００４１】
第８の実施の形態
この第８の実施の形態では、図１〜図３を用いて説明した構成及び基本動作は上記第１の実施の形態と同一であるため、説明を省略し、相違する動作を主に説明する。
この第８の実施の形態の現金自動入出金装置には、図示しない制御部に、図示しない年時計と係員による現金の詰め替え作業可能日及び不可能日データを記憶する図示しない運用サービス日記憶手段と、係員による現金詰め替え作業可能時刻及び不可能時刻データを記憶する図示しないサービス時間帯記憶手段を備えてある。
【００４２】
そして、この第８の実施の形態では、リジェクト紙幣収納部８の満杯検出手段が満杯検知した時、現金自動入出金装置内の前記制御部の前記年時計から読み取った日時データと前記運用サービス時間帯記憶手段から読み取ったデータ、及び、前記運用サービス日記憶手段とを照合し、その照合結果からリジェクト紙幣の搬送先を決定し、例えば、曜日毎にリジェクト紙幣の収納先を決定する。
【００４３】
上記第８の実施の形態によると、係員の現金の詰め替え可能日時及び不可能日時を設定し、リジェクト紙幣収納庫が満杯になった発生日時によって、リジェクト紙幣の適切な搬送先を決定することで、次回係員の現金の詰め替え日まで現金自動入出金装置が取引休止にならず連続運用することができるようになる。
第９の実施の形態
図６に示す、現金自動入出金装置の制御ブロック図を用いて説明する。なお、機構的な構成は、上記第１の実施の形態と同一とし、その説明は省略する。
【００４４】
紙幣入出金ユニット主制御部１は、現金自動入出金装置の主制御部２との間で必要情報の送受信ができる送受信手段３と、入金リジェクト紙幣及び出金リジェクト紙幣や５千円券や２千券等の新紙幣によりリジェクト収納庫が満杯になったことを検知するリジェクト収納庫フル検知手段４と、現金自動入出金装置主制御部２からの必要情報を受け入金リジェクト紙幣及び出金リジェクト紙幣の搬送先を複数の金種別収納庫のうちの予め定められた金種別収納庫に切り替える搬送先決定手段５をもつ。なお、現金自動入出金装置主制御部２は、ホストコンピュータ５又は稼働管理装置６との間で必要情報の送受信ができる送受信手段７を持つ。また、現金自動入出金装置主制御部２には、取引制限管理部２ａ、年時計２ｂ、現金詰め替え作業スケジュール記憶部１５、現金詰め替え作業可能時間帯記憶部２ｃ、リジェクト収納庫フル予測手段１６、損券レベル決定手段１４、リジェクト収納庫満杯状態発生予告通知手段２ｄ、カード・伝票処理ユニット２ｅ、操作表示制御部２ｆ、接客操作部２ｇ、係員操作部２ｈ、通帳処理ユニット２ｉ、硬貨入出金ユニット２ｊを接続している。また、前記紙幣入出金ユニット主制御部１には、モータ制御部１ａ、モータ群１ｂ、マグネット制御部１ｃ、センサ群１ｄ、センサ制御部１ｅ、リジェクト収納庫フル検知手段４、リジェクト収納庫収納量検知手段１０、金種別収納庫収納量検知手段９、センサ群１ｆ、鑑別部１１、損券判定レベル記憶手段１３、損券判定手段１２、金種別収納庫プレフル検知１ｈ、搬送先決定手段１７、取扱モード記憶手段１ｇ、リジェクト率算出手段１８を備える。なお、各手段等は、図示しない記憶媒体に格納されるプログラムを図示しないＣＰＵが実行することで機能する。また、各手段は、本発明の各実施の形態で説明する各手段に対応する場合は、その機能を実現するものとし、説明を省略する。
【００４５】
そして、この第９の実施の形態では、紙幣入出金ユニット８のリジェクト紙幣収納庫のフル検出手段４がフル検知をした時、その情報をホストコンピュータ５又は稼働管理装置６に送信し、ホストコンピュータ５又は稼働管理監視装置６からの指示により、紙幣入出金ユニット８の搬送先決定手段５を用いてその後発生した入金リジェクト紙幣及び出金リジェクト紙幣の搬送先を決定するように処理を行う。
【００４６】
上記第９の実施の形態によると、現金自動入出金装置において、リジェクト紙幣収納庫の満杯検知手段が満杯検知した情報をホストコンピュータ又は稼働管理装置等の上位装置に送信し、ホストコンピュータ又は稼働管理監視装置等の上位装置からの指示により搬送先決定手段を用いてリジェクト紙幣の搬送先を決定することによって、その後発生したリジェクト紙幣の収納先を確保できるため、現金自動入出金装置の装置休止を防ぐことができ、顧客取引連続運用時間を延長することができるようになる。
【００４７】
第１０の実施の形態
本発明の第１０の実施の形態も、上記第９の実施の形態と同様に、図６を参照して説明する。
この第１０の実施の形態では、紙幣入出金ユニット主制御部１が、金種別収納庫収納量検出手段９と、リジェクト収納庫収納量検出手段１０と、紙幣鑑別部１１を持ち、紙幣鑑別部１１は搬送紙幣がリジェクト紙幣か否かを判断する損券判定手段１２と、損券判定レベル記憶手段１３が特に機能する。各金種別収納庫の紙幣収納量検知は、例えば、図７に示すように、ステージＡの移動量に比例してエンコーダＢのパルスが出力される構成をとり、金種別収納庫に紙幣がフルに入った状態のステージ位置と現ステージ位置との差をパルス数で管理することで検出できる。つまり、ステージＡが距離Ｌだけ上方に移動したとき、集積された紙幣Ｘの上端を金種別収納庫収納量検知手段９が検知したときに、そのときのエンコーダＢのパルス数によって行う。また、現金自動入出金装置の主制御部２は、金種別収納庫収納量とリジェクト収納庫収納量を管理し、これらの収納量の度合いに応じて、損券レベル（搬送紙幣が損券か否かの判定基準値）を決定する損券レベル決定手段１４を機能させる。
【００４８】
この第１０の実施の形態では、入金リジェクト紙幣及び出金リジェクト紙幣によりリジェクト紙幣収納庫が予め定められた収納量になったとき、損券レベル決定手段１４により損券レベルの判定基準を緩和することでリジェクト紙幣収納庫へ搬送される損券枚数を制限するように動作制御する。
上記第１０の実施の形態によると、現金自動入出金装置において金種別収納庫の収納枚数とリジェクト紙幣収納庫の収納枚数を管理し、リジェクト紙幣収納庫の収納枚数が所定量以上になった日時によってリジェクト紙幣をリジェクト紙幣収納庫へ搬送する条件を緩和することで、リジェクト紙幣収納庫が満杯になるのを遅らせ現金自動入出金装置の装置休止を防ぐことができるようになるため、顧客取引連続運用時間を延長させることが可能になる。
【００４９】
第１１の実施の形態
本発明の第１１の実施の形態も、上記第９の実施の形態と同様に、図６を参照して説明する。
この第１１の実施の形態では、紙幣入出金ユニット主制御部１が、リジェクト収納庫収納量検出手段１０と、予め定められた期間内に取り引きされた全紙幣枚数とリジェクト紙幣枚数からリジェクト率なる値を計算するリジェクト率算出手段１４と、鑑別部１１を機能させる。また、前記鑑別部１１は、搬送紙幣がリジェクト紙幣か否かを判断する損券判定手段１２と、損券判定レベル記憶手段１３を機能させる。さらに、現金自動入出金装置主制御部２は、現金詰め替え作業スケジュールの記憶部１５と、リジェクト収納庫がフルになる日にちを予測する手段１６と、損券レベル（搬送紙幣が損券か否かの判定基準値）を決定する手段１４を機能させる。
【００５０】
この第１１の実施の形態では、上記表１に示すように、係員は現金詰め替え作業予定日を登録する。紙幣入出金ユニット８は、予め定められた所定稼働期間内に取り引きされた全紙幣枚数に対するリジェクト紙幣枚数が占める割合からリジェクト率を算出する。なお、その全紙幣枚数とリジェクト紙幣枚数のテーブルの一例を表２に示す。
【００５１】
【表２】
0004505956.tif 000003
【００５２】
そして、算出したリジェクト率及びある期間当たりの平均取引枚数等からリジェクト収納庫フル予測手段１６を用いて次回現金詰め替え日までにリジェクト収納庫が満杯になってしまうと予測されたときには、損券レベル決定手段１４により損券レベルの判定基準を緩和することでリジェクト紙幣収納庫へ搬送される損券枚数を制限する。
【００５３】
上記第１１の実施の形態によると、所定稼働率期間内の出金リジェクト率又は損券判定率を算出し、これらのリジェクト収納庫へ収納されるべき枚数の発生を予測し、現金詰め替えスケジュール記憶手段を参照し、次回詰め替え以前にリジェクト紙幣収納庫が満杯になることが予測される場合に損券判定レベルを緩和設定することで、リジェクト紙幣収納庫が満杯になるのを遅らせ現金自動入出金装置の装置休止を防ぐことができるため、顧客取引連続運用時間を短縮することができるようになる。
【００５４】
第１２の実施の形態
本発明の第１２の実施の形態も、上記第９の実施の形態と同様に、図６を参照して説明する。
この第１２の実施の形態では、紙幣入出金ユニット主制御部１が、リジェクト収納庫収納量検出手段１０と、予め定められた期間内に取り引きされた全紙幣枚数とリジェクト紙幣枚数からリジェクト率なる値を計算するリジェクト率算出手段１４と、鑑別部１１を機能させる。また、鑑別部１１は、搬送紙幣がリジェクト紙幣や５千円券または２千円券等の新紙幣か否かを判断する損券判定手段１２と、損券判定レベル記憶手段１３を機能させる。また、現金自動入出金装置の主制御部２は、現金詰め替え作業スケジュールの記憶部１５と、リジェクト収納庫がフルになる日にちを予測する手段１６と、損券レベル（搬送紙幣が損券か否かの判定基準値）を決定する手段１４を機能させる。
【００５５】
そして、この第１２の実施の形態では、上記表１のように、係員は現金詰め替え作業予定日を登録する。紙幣入出金ユニット８は予め定められた所定稼働期間内に取り引きされた全紙幣枚数に対するリジェクト紙幣枚数が占める割合からリジェクト率を算出する（上記表２参照）。算出したリジェクト率及び所定の期間当たりの平均取引枚数などからリジェクト収納庫フル予測手段１６を用いて次回現金詰め替え日までにリジェクト収納庫が満杯になってしまうと予測されたときには、破れ紙幣や折れ紙幣や汚れ紙幣等の真券と判断されながら損券扱いとなった紙幣について損券判定結果を無視乃至は損券判定を行わずに紙幣の搬送先を制御することでリジェクト紙幣収納庫へ搬送される損券枚数を制限する。
【００５６】
上記第１２の実施の形態によると、所定稼働期間内の出金リジェクト率又は損券判定率を算出し、これらのリジェクト紙幣収納庫へ収納されるべき枚数の発生を予測し、現金詰め替えスケジュール記憶手段を参照し、次回詰め替え以前にリジェクト紙幣収納庫が満杯になることが予測される場合に損券判定結果を無視乃至は損券判定を行わずに紙幣の搬送先を制御することでリジェクト紙幣収納庫が満杯になったことによる現金自動入出金装置の装置休止を防ぐことができるため、顧客取引連続運用時間を延長することができるようになる。
【００５７】
第１３の実施の形態
本発明の第１３の実施の形態も、上記第９の実施の形態と同様に、図６を参照して説明する。
この第１３の実施の形態では、紙幣入出金ユニット主制御部１は、リジェクト収納庫収納量検出手段１０と、予め定められた期間内に取り引きされた全紙幣枚数とリジェクト紙幣枚数からリジェクト率なる値を計算するリジェクト率算出手段１４と、現金自動入出金装置主制御部２との間で必要情報の送受信ができる送受信手段３を機能させる。また、現金自動入出金装置主制御部２は、現金詰め替え作業スケジュールの記憶部１５と、リジェクト収納庫がフルになる日にちを予測する手段１６と、ホストコンピュータ５又は移動管理装置６との間で必要情報の送受信ができる送受信手段７を機能させる。
【００５８】
そして、この第１３の実施の形態では、上記表１のように、係員は現金詰め替え作業予定日を登録する。紙幣入出金ユニット８は予め定められた所定稼働期間内に取り引きされた全紙幣枚数に対するリジェクト紙幣枚数が占める割合からリジェクト率を算出する（上記表２参照）。算出したリジェクト率及びある期間当たりの平均取引枚数などからリジェクト収納庫フル予測手段１６を用いて次回現金詰め替え日までにリジェクト収納庫が満杯になってしまうと予測されたときには、その情報をホストコンピュータ５又は稼働管理装置６に送信し、次回現金詰め替えスケジュール計画の変更を促す。
【００５９】
上記第１３の実施の形態によると、所定稼働期間内の出金リジェクト率又は損券判定率を算出するリジェクト率算出手段と、リジェクト率算出手段の演算の結果から、これらのリジェクト収納庫へ収納されるべき枚数の発生を予測するリジェクト収納庫フル発生予測手段を備え、リジェクト収納庫フル発生予測手段の出力と現金詰め替えスケジュール記憶手段を参照のうえ、次回詰め替え以前にリジェクト紙幣収納庫が満杯になることが予測される場合にはリジェクト収納庫満杯状態発生予告通知をホストコンピュータ又は稼働監視装置に送信し、現金詰め替えスケジュール計画の変更を促すことでリジェクト収納庫が満杯になったことによる現金自動入出金装置の装置休止を防ぐことができるようになる。
【００６０】
【発明の効果】
以上説明したように本発明の現金自動入出金装置によると、リジェクト紙幣収納庫の満杯時には、不良と判断された紙幣や予め設定した紙幣をいずれかの金種別収納庫に収納していくようにしたため、現金自動入出金装置のリジェクト紙幣収納庫が満杯になることから生じる装置休止を防ぐことができる効果が得られ、顧客取引連続運用時間の延長を可能とするとともにリジェクト紙幣収納庫のリジェクト券収納枚数を最適管理することができる効果が得られる。
【図面の簡単な説明】
【図１】本発明の現金自動入出金装置の紙幣入出金ユニットの構成図
【図２】本発明の入金取引時の動作説明図
【図３】本発明の出金取引時の動作説明図
【図４】取引画面の例示図
【図５】取引画面の例示図
【図６】本発明の現金自動入出金装置の要部構成ブロック図
【図７】第５の実施の形態の動作説明図
【図８】従来の現金自動入出金装置の紙幣入出金ユニットの構成図
【符号の説明】
１  紙幣入出金ユニット
２  入金及び出金接客手段
３  接客一時集積手段
４  鑑別手段
５  一時集積手段
６  金種別収納庫
７  金種別収納庫
８  リジェクト紙幣収納庫
９  入金返却紙幣一時集積手段
【図１】
0004505956.tif 000004
【図２】
0004505956.tif 000005
【図３】
0004505956.tif 000006
【図４】
0004505956.tif 000007
【図５】
0004505956.tif 000008
【図６】
0004505956.tif 000009
【図７】
0004505956.tif 000010
【図８】
0004505956.tif 000011